【手続補正書】
【提出日】平成28年8月3日(2016.8.3)
【手続補正１】
【補正対象書類名】明細書
【補正対象項目名】０１１６
【補正方法】変更
【補正の内容】
【０１１６】
本発明の様々な修正及び変更は、本発明の趣旨及び範囲から逸脱することなく、当業者にとって明らかとなり、本発明は本発明において説明される例示的な実施形態に限定されないものと理解されるべきである。読者は、開示される一実施形態の特徴はまた、他に指示がない限り、他の全ての開示される実施形態に応用され得る。本明細書において参照される、米国特許、特許出願公開、並びに他の特許文献及び非特許文献は、これらが先行する開示と矛盾しない限りにおいて、参照として組み込まれる。
本発明の実施態様の一部を以下の項目１−２０に列記する。
[１]
照明器具であって、
第１の主面を有した導光板であり、前記第１の主面が、前記導光板からの導波モード光を結合するように適合された回折面特徴部を有する、導光板と、
前記導光板内に光を注入するために配置された別個の光源と、を含む照明器具であり、
前記回折面特徴部の少なくとも一部が平面視で非直線的であり、前記光源及び前記回折面特徴部が、前記非直線的な回折面特徴部と交差する帯を生成するように調整される、照明器具。
[２]
前記帯が、明るい帯であり、前記帯が、前記照明器具に対する観察者の視認位置に応じて外観を変化させる、項目１に記載の照明器具。
[３]
前記帯が、第１の視認位置での直線的な形状から第２の視認位置での湾曲した形状へと変化する、項目２に記載の照明器具。
[４]
前記別個の光源が、前記導光板内に光を注入するために配置された複数の光源の１つであり、前記帯が、前記複数の光源に対応する複数の帯の１つであり、前記帯のそれぞれが、前記非直線的な回折面特徴部と交差する、項目１に記載の照明器具。
[５]
前記複数の帯が、前記照明器具に対する観察者の視認位置に応じて変化するパターンを形成し、前記帯のパターンが、前記視認位置の少なくとも一部について三次元の外観を有する、項目４に記載の照明器具。
[６]
前記導光板が、平面視で、非多角形の形状を有し、かつ湾曲した側面を有する、項目１に記載の照明器具。
[７]
前記別個の光源が、前記湾曲した側面を介して前記導光板内に光を注入するために配置される、項目６に記載の照明器具。
[８]
前記別個の光源が、前記湾曲した側面を介して前記導光板内に光を注入するために配置された複数の光源の１つであり、前記帯が、前記複数の光源に対応する複数の帯の１つであり、前記帯のそれぞれが、前記非直線的な回折面特徴部と交差する、項目６に記載の照明器具。
[９]
前記非直線的な回折面特徴部が、前記湾曲した側面と実質的に交差せず前記湾曲した側面と実質的に一致する湾曲した経路を画定する、項目６に記載の照明器具。
[１０]
前記非多角形の形状が、円形又は卵形である、項目６に記載の照明器具。
[１１]
前記非直線的な回折面特徴部が、螺旋又は一連の同心円若しくは卵形を形成する湾曲した経路を画定する、項目１に記載の照明器具。
[１２]
前記導光板が、前記導光板を介して物体を視認することについての少ない歪みを呈する、項目１に記載の照明器具。
[１３]
照明器具であって、
第１の主面及び少なくとも１つの側面を有する導光板であり、前記第１の主面が前記導光板からの光を結合するように適合された回折面特徴部を有する、導光板と、
前記導光板内に光を注入するために配置された第１の光源と、
前記少なくとも１つの側面に沿って延在する均一ではない反射構造であり、前記少なくとも１つの側面の主部分に沿って第１の反射率を、前記少なくとも１つの側面の局所領域で、前記第１の反射率とは異なる、第２の反射率を提供する、均一ではない反射構造と、を含む照明器具であり、
前記回折面特徴部の少なくとも一部が、平面視で非直線的であり、前記光源、前記回折面特徴部、及び前記反射構造が、前記非直線的な回折面特徴部と交差する帯を生成するように調整される、照明器具。
[１４]
前記第１の反射率が、可視光について少なくとも５０％であり、前記第２の反射率が前記第１の反射率よりも低く、結果として前記帯が暗い帯である、項目１３に記載の照明器具。
[１５]
前記均一ではない反射構造が、前記少なくとも１つの側面の前記主部分上に配置される反射材料を含み、前記反射材料が、前記少なくとも１つの側面の前記局所領域には存在しない、項目１４に記載の照明器具。
[１６]
前記均一ではない反射構造が、金属ホルダを含み、前記局所領域での前記第２の反射率が、前記金属ホルダによって支持された照明されない第２の光源に対応する、項目１３に記載の照明器具。
[１７]
前記導光板が、平面視で非多角形の形状を有し、前記少なくとも１つの側面が、湾曲し、前記導光板の全周に延在する、項目１６に記載の照明器具。
[１８]
前記局所領域が、互いに離間しかつ前記第１の反射率よりも低い反射率を有する複数の局所領域の１つであり、前記帯が、前記複数の局所領域に対応する複数の暗い帯の１つであり、前記暗い帯のそれぞれが、前記非直線的な回折面特徴部と交差する、項目１３に記載の照明器具。
[１９]
前記複数の暗い帯が、前記照明器具に対する観察者の視認位置に応じて変化するパターンを形成し、前記暗い帯のパターンが、前記視認位置の少なくとも一部について三次元の外観を有する、項目１８に記載の照明器具。
[２０]
システムであって、
第１の主面を有した第１の導光板であり、前記第１の主面が、前記第１の導光板からの導波モード光を結合するように適合された第１の回折面特徴部を有する、第１の導光板と、
前記第１の導光板内に光を注入するために配置された第１の別個の光源と、
第２の主面を有した第２の導光板であり、前記第２の主面が、前記第２の導光板からの導波モード光を結合するように適合された第２の回折面特徴部を有する、第２の導光板と、
前記第２の導光板内に光を注入するために配置された第２の別個の光源と、を含むシステムであり、
前記第１の回折面特徴部の少なくとも一部が、平面視で非直線的であり、前記第１の光源及び前記第１の回折面特徴部が、前記非直線的な第１の回折面特徴部と交差する第１の帯を生成するように調整され、
前記第２の回折面特徴部の少なくとも一部が、平面視で非直線的であり、前記第２の光源及び前記第２の回折面特徴部が、前記非直線的な第２の回折面特徴部と交差する第２の帯を生成するように調整される、システム。
【手続補正２】
【補正対象書類名】特許請求の範囲
【補正対象項目名】全文
【補正方法】変更
【補正の内容】
【特許請求の範囲】
【請求項１】
照明器具であって、
第１の主面を有した導光板であり、前記第１の主面が、前記導光板からの導波モード光を結合するように適合された回折面特徴部を有する、導光板と、
前記導光板内に光を注入するために配置された別個の光源と、を含む照明器具であり、
前記回折面特徴部の少なくとも一部が平面視で非直線的であり、前記光源及び前記回折面特徴部が、前記非直線的な回折面特徴部と交差する帯を生成するように調整される、照明器具。
【請求項２】
照明器具であって、
第１の主面及び少なくとも１つの側面を有する導光板であり、前記第１の主面が前記導光板からの光を結合するように適合された回折面特徴部を有する、導光板と、
前記導光板内に光を注入するために配置された第１の光源と、
前記少なくとも１つの側面に沿って延在する均一ではない反射構造であり、前記少なくとも１つの側面の主部分に沿って第１の反射率を、前記少なくとも１つの側面の局所領域で、前記第１の反射率とは異なる、第２の反射率を提供する、均一ではない反射構造と、を含む照明器具であり、
前記回折面特徴部の少なくとも一部が、平面視で非直線的であり、前記光源、前記回折面特徴部、及び前記反射構造が、前記非直線的な回折面特徴部と交差する帯を生成するように調整される、照明器具。